(57)【要約】  【課題】バストの動きに対する追従性がよく、動的快適性に優れたブラジャーを提供する。  【解決手段】  荷重が負荷された時に発生する応力と、応力発生開始時から応力がピークに達するまでの時間との積である圧力積分値が、３０００〜１３０００の範囲内で、かつ、該圧力積分値の範囲内における回復率が８５％〜１００％である弾性素材を備えていることを特徴とするカップ材を提供する。前記弾性素材は、バストの動きに応じて生じる前記荷重負荷時に発生する応力が１０００ｇｆ以下としている。  【選択図】  図７
2005290613.tif 000002
【特許請求の範囲】
【請求項１】
荷重が負荷された時に発生する応力と、応力発生開始時から応力がピークに達するまでの時間との積である圧力積分値が、３０００〜１３０００の範囲内で、かつ、該圧力積分値の範囲内における回復率が８５％〜１００％である弾性素材を備えていることを特徴とするカップ材。
【請求項２】
前記弾性素材は、バストの動きに応じて生じる前記荷重負荷時に発生する応力が１０００ｇｆ以下である請求項１に記載のカップ材。
【請求項３】
前記弾性素材は、発泡樹脂の少なくとも外面に伸縮性素材をラミネートして一体化した素材、あるいはダブルラッセル構造体やダブルニット構造体からなる編物としている請求項１または請求項２に記載のカップ材。
【請求項４】
前記弾性素材の発泡樹脂にラミネートする伸縮性素材は、ベア天竺素材からなる請求項３に記載のカップ材。
【請求項５】
前記弾性素材の厚さは２０ｍｍ以下である請求項１乃至請求項４のいずれか１項に記載のカップ材。
【請求項６】
前記弾性素材をバストトップに当たる位置を含んで、カップ部全面の６０％以上に配置している請求項１乃至請求項５のいずれか１項に記載のカップ材。
【請求項７】
請求項１乃至請求項６のいずれか１項に記載の弾性力のあるカップ材によりカップ部を形成しているカップを有する衣類。
【請求項８】
ブラジャー、ブラスリップ、ボディスーツ、水着、レオタード、スポーツウエアからなる請求項７に記載のカップ部を有する衣類。
【発明の詳細な説明】
【技術分野】
【０００１】
本発明はブラジャー等に用いるカップ材および該カップ材からなるカップ部を有する衣類に関し、特に、締め付け感がなく、バストをふんわりと包みながらバスト動作時の追従性を備え、着用感を高めるものである。
【背景技術】
【０００２】
従来、ブラジャー等のカップ部を有する衣類において、バストの造形性を主たる機能としている場合、カップ材として伸びのない非伸縮性素材あるいは伸びの少ない伸縮性素材、所謂、硬い素材が用いられる。この伸びの少ない素材をカップ材としている場合、バストの造形性の点では優れているが、動的変形に追従せず、締付感が強くなり、リラックスした着用感が得られにくい。
【０００３】
伸びの良い伸縮性素材をカップ材として用いた場合、バストの保形性が劣りバストの動的変形に追従しすぎてバストの揺れが大きくなる問題がある。
また、本出願人が所有している特許第３２７２２３３号（特許文献１）の低反発素材を用いた場合には、動的挙動に対する追従性が遅れ、特に、原形への復帰が遅れる問題がある。
【０００４】
前記した点から、バストの動きに対する追従性を高め、動的快適性を有するカップ材としては弾性素材であることが好ましい。
この種の弾性素材からなるカップ材として、例えば、特開２００１−２００４０３号（特許文献２）で、ブラジャーのカップ部を構成するパッドあるいは、ブラジャーに設けた袋部内に着脱自在に収納されるパッドとして、図１２に示すように、発泡ウレタンからなる高硬度弾性層１０２と低硬度弾性層１０３との２層構造のパッド１００を布１０４、１０４内に収納したものが提供されている。
【０００５】
前記パッド１００では、硬度を変えた２層の発泡ポリウレタンを収納している布１０４についての種類や物性等が記載されていないため、布１０４が弾性層１０２、１０３に追従できるか否か不明である。また、高硬度弾性層１０２が肌側の低硬度弾性層１０３の外面側に積層されているため、バストの挙動に低硬度弾性層１０３が追従しようとしても外面側の高硬度弾性層１０２により追従が規制される恐れがある。特に、外面側の高硬度弾性層１０２の硬度が規定されていないため、非常に硬度が高い場合には弾性機能が余り発揮されず、造形性を主たる機能とするカップ材と同様なカップ材となり、動的快適性も得られるカップ材とはならない。
【特許文献１】特許第３２７２２３３号公報
【特許文献２】特開２００１−２００４０３号公報
【発明の開示】
【発明が解決しようとする課題】
【０００６】
本発明は前記問題に鑑みてなされたものであり、バストをふんわりと包みながら、バストが動いた時の追従性に優れ、特に、変形後の原形への復帰が迅速に行われ、単にバストの動きに追従して伸びるだけでなく、ばねのように跳ね返す力を有し、動的快適性を有するカップ材および該カップ材からなるカップ部を備えた衣類を提供することを課題としている。
【課題を解決するための手段】
【０００７】
前記課題を解決するため、本発明は、荷重が負荷された時に発生する応力と、応力発生開始時から応力がピークに達するまでの時間との積である圧力積分値が、３０００〜１３０００の範囲内で、かつ、該圧力積分値の範囲内における回復率が８５％〜１００％である弾性素材を備えていることを特徴とするカップ材を提供している。
【０００８】
前記特定範囲の物理的特性を有するカップ材は、バストが動いた時に迅速に追従して伸びると共に変形するが、単にバストの動きに応じて伸びると共に変形するだけでなく、ばねのように跳ね返す弾力を有し、変形後の回復が早く、よって、バストへの一体感や密着感が強く、動的快適性に優れたものとなる。
前記物理的な特定範囲は、発明者が多数種類のカップ材を用意し、弾性材反発性測定装置を用いて実験を繰り返して測定した結果、知見したものである。
【０００９】
前記弾性材反発性測定装置は、図１に示す本発明者が開発したオリジナルな繊維製品の弾力性測定装置からなる。該測定装置は、試料となるカップ材１を枠内に保持する枠状保持具２と、該枠状保持具２を上下往復作動させるシリンダ等からなる昇降手段３と、前記枠状保持具２内に保持された弾性素材２の上面に接触させる圧縮子４と、該圧縮子４を下端面に取り付けた圧縮ロードセル５と、該圧縮ロードセル５が取り付けられた圧縮試験機本体６とを備えている。前記圧縮子および圧縮ロードセルを備えた圧縮試験機本体は、カトーテック社製の圧縮試験機（ＫＥＳ−Ｇ５）からなる。
測定時には、圧縮試験機本体６は固定する一方、昇降手段３を駆動して、枠状保持具２を試料のカップ材１と共に１分間に６０回、１．５ｃｍ上下往復作動させる。この上下往復作動されるカップ材１に対して接触させた圧縮子４が感知する応力を経時変化で測定し、変化時の回復率を測定した。前記カップ材１は肌側を圧縮子４に接触させた。
【００１０】
図２（Ａ）は、繰り返し上下運動させた間の３回分の山Ｍを示し、山Ｍの前半分部分Ｘはカップ材１が上昇して圧縮子４に押し上げ荷重を作用させた部分に該当し、山Ｍの後後半部分Ｙはカップ材１が下降して圧縮子４への荷重を解除した部分に該当する。
図２（Ｂ）の前半部分Ｘの圧力積分値に対して、後半部分Ｙの圧力積分値が１００％、即ち、前半部分Ｘと後半部分Ｙとが左右対称となると、変形挙動に対して逆の変形挙動をとりながら同一速度で原形に回復していることを表す。よって、回復率が１００％に近づく程、負荷が解除された時の回復力、即ち、弾力が強いことを意味する。
【００１１】
測定結果は図３のグラフに示す通りで、前半部分Ｘの応力積分値は、縦軸で示す負荷に応じて発生する応力と、横軸で示す応力発生時から応力がピークに達する時間との積から応力積分値が求められる。後半部分Ｙの応力積分値は応力がピークに達した時から応力が無くなるまでの時間と応力との積から求められる。
前記した前半部分Ｘの応力積分値が大きくなると、カップ材に荷重が負荷された時の応力が大きく、バストに対する圧迫感や締付感が強くなる。逆に応力積分値が小さくなると、負荷に対して発生する応力が少なく、バストの動きに対して変形して追従することとなる。
【００１２】
図３のグラフでは測定した多数のカップ材のうち、代表的なカップ材Ａ〜Ｄの測定結果を示している。
カップ材Ａは造形美を付与することを主たる機能とする代表的なカップ材で、図４（Ａ）に示すように、肌側は不織布の肌側面に天竺素材、外面側にトリコット素材を接着剤でラミネートした素材、外側はエンブロイダリー（刺繍）レースからなる。
カップ材Ｂは、図４（Ｂ）に示すように、バストが動かない状態での静的快適性を追求したカップ材で、肌側は低反発性の発泡ウレタンの表裏両面にトリコット素材をラミネートした素材、外側はエンブロイダリー（刺繍）レースからなる。
カップ材Ｃ、Ｄは、本発明の動的快適性を追求したカップ材である。
カップ材Ｃは、図４（Ｃ）に示すように、肌側はポリウレタン弾性糸を含むベア天竺素材、中間は低反発性の発泡ウレタンの両面にベア天竺素材を接着剤でラミネートした素材、外側は縦横方向に伸びるＴ／Ｗラッセルからなる。
カップ材Ｄは、図４（Ｄ）に示すように、肌側は低反発性の発泡ウレタンの表裏両面にベア天竺素材を接着剤でラミネートした素材、外側はストレッチラッセルレースからなる。
【００１３】
図３のグラフの応力から見ると、造形美を追求するカップ材Ａはバストの動きに応じて発生する応力が大きく、バストの動きに追従しにくいものであることが分かる。
静的快適性を追求するカップ材Ｂも応力が比較的大きく、バストの動きに対する追従性が劣ることが分かる。
これに対して、動的快適性を追求したカップ材Ｃ、Ｄは応力が小さく、バストの動きに追従しやすいものであることが認められる。
バストから負荷される荷重により発生する応力は１０００ｇｆを越えると、圧迫感が比較的大きくなるため、１０００ｇｆ以下が好ましい。
【００１４】
図５のグラフは縦軸が回復率を示し、横軸が前記山Ｍの前半部分Ｘの応力積分値を示す。  前記応力積分値は３０００未満となると、カップ材ではバストの造形性、保形性が劣ることとなる。一方、２５０００を越えると常時圧迫感や締付感を感じることとなり、２５０００以下で１３０００を越えると締め付け感は余りないが、バストが挙動時には比較的追従しにくくなる。よって、バストの動きに抵抗なく追従しながらバストの保形性を保つには圧力積分値が３０００以上１３０００以下が好ましい。
一方、回復率は前記したように１００％に近づく程、バストの変形に応じて伸びたり変形したりするカップ材が、元の原形に回復する力が強いために、動的快適性が優れたものとなる。前記造形美を追求するカップ材Ａでは回復力は８７％以下となっている。
【００１５】
前記した通り、応力積分値が小さいほどバストの動きに追従して変形し、回復率が高い程、変形後の原形復帰力が強いこととなり、カップ材として場合に動的快適性が優れたものとなる。
図５のグラフに示す通り、本発明のカップ材Ｃ、Ｄは応力積分値は３０００〜１３０００の範囲で、回復率は８５〜９２％の範囲となっている。よって応力積分値と回復率との両方から動的快適性が優れたカップ材と言える。
これに対して、カップ材Ａは（ａ）の領域にあり、応力積分値が２８０００〜５５０００の範囲であるため、バストへの追従性が劣り、かつ、回復率も８７％以下でカップ材Ｄ，Ｃより劣っている。
また、静的快適性を追求したカップ材Ｂは（ｂ）の領域にあり、応力積分値が動的快適性から求められる１３０００を越えており、回復率もカップ材Ｄ，Ｃより劣っている。
【００１６】
前記弾性材の反発測定試験から、本発明は、前記したように、圧力積分値が３０００〜１３０００の範囲内で、かつ、該圧力積分値の範囲内における回復率が８５％〜１００％である弾性素材を備えているカップ材Ｃ，Ｄが、動的快適性に優れたカップ材となることを究明して、本発明に至ったものである。
前記した特定範囲の物性を有する弾性素材は、バストが動いた時に追従性に優れ、特に、回復率が８５％以上であることより、変形後の原形復帰力が優れたものとなる。回復率は８５％以上あれば、バストの変形に応じて伸びたり変形したカップ材が比較的迅速に原形に回復するが、回復率は好ましくは９０％以上である。
なお、動的快適性に優れたカップ材は発泡ウレタンの表裏両面にベア天竺素材をラミネートしたカップ材Ｃ、Ｄに限られず、図１０、１１に示すようにダブルラッセル構造体（経編物）やダブルニット構造対（緯編物）も前記測定装置による試験結果からカップ材Ｃ、Ｄと同様な圧力積分値および回復率を有し、動的快適を追求するカップ材としては優れたものであることを知見している。
【００１７】
具体的には、動的快適性に優れたカップ材となる弾性素材は、発泡樹脂の少なくとも外面に伸縮性素材をラミネートして一体化した素材、あるいはダブルラッセル構造体やダブルニット構造体からなる編物からなり、これらの弾性素材は前記したように、応力積分値３０００〜１３０００および回復力８５％以上を有するものである。
前記した発泡樹脂等の表面に伸縮性素材をラミネートした弾性素材は、伸縮性素材によりバストの動きに追従する機能を備えると共に、伸縮性素材だけでは奏しえない弾力を発泡樹脂等で持たせることにより、迅速な回復力を兼ね備えた機能を付与でき、かつ、バストを柔らかく包むように保持しながらバストの保形性の機能も備えたものとなる。
【００１８】
前記発泡樹脂としては発泡ウレタン、エチレン−酢酸ビニル共重合体の発泡体、ポリエステルエラストマーの発泡体が挙げられるが、発泡ウレタンが好適に用いられる。該発泡ウレタンは見かけ密度が１０〜９５ｋｇ／ｍ3、好ましくは１５〜８５ｋｇ／ｍ3の低反発性としたものが好適に用いられる。
前記発泡樹脂にラミネートスル伸縮性素材としてベア天竺素材が好適に用いられ、特にポリウレタン弾性糸を含むベア天竺素材が好適に用いられる。
【００１９】
前記した発泡ウレタン等の表面に伸縮性素材をラミネートした弾性素材に、さらに、前記カップ材Ｄのように、肌側にポリウレタン弾性糸を含むベア天竺素材を積層し、外側に縦横方向に伸びのよりＴ／Ｗラッセルを積層した、３素材の積層構造とすると、前記したように、応力積分値が９０００〜１００００の範囲でバストの保形性も備え、回復率が９４〜９５％に達するため、バストの動きに応じて変形した後にばねのように跳ね返って原形に回復し、バストの動きに対応するズレが生じがなく、動的快適性が優れたものとなる。また、カップ部に弾力性があるため、生理周期等によりバストの大きさが変わってもバストに圧迫感を与えず快適でいられる。
【００２０】
また、前記カップ材Ｃのように、肌側に発泡ウレタンの両面にベア天竺素材をラミネートした弾性素材を配置し、外側にストレッチレースを配置したカップ材も、応力積分値が３０００〜１３０００の範囲で、回復率が８５％以上であるため、動的快適が優れたカップ材となる。
【００２１】
前記弾性素材の厚さは２０ｍｍ以下であることが好ましい。これは２０ｍｍを越えると、カップ部の厚さが大きくなり過ぎ、着用者に暑苦しさを感じさせることとなると共に、前記カップ材Ｄのように、該弾性素材を中間層としてさらに肌側と外側に他の伸縮性素材を積層した場合には、さらにカップ部の厚さが大きくなり過ぎることとなる。下限は４ｍｍ程度である。
【００２２】
前記弾性素材はカップ部の全面に配置することが最も好ましいが、少なくともバストトップに当たる位置を含んでカップ部全面の６０％以上に配置していることが好ましい。より好ましくは８０％以上であり、全面に前記弾性素材を配置していない場合には、バストの動きに余り追従しないカップ部の脇側部分に弾性素材を配置しない構成としている。
【００２３】
本発明は、前記弾性力を有することによりバスト変形後の回復力が優れたカップ材によりカップ部を形成しているカップを有する衣類を提供している。
該カップ部を有する衣類としては、ブラジャーが最も好適であるが、ブラスリップ、ボディスーツ、水着、レオタード、スポーツウエア等のカップ部も前記カップ材から形成していることが好ましい。
【発明の効果】
【００２４】
上述したように、本発明のカップ材を備えたカップ部は、運動等によりバストが動いても、この動くバストを弾力性のあるカップ材からなるカップ部で包んでいるので、バストの動きにカップ部が追従し、動きに対してズレが生じない。かつ、バストの動き止まってバストが元に形状に復帰した時にカップ部に迅速に元の形状に回復する。このように、バストにカップ部がぴったりと付き、バストの動きと一体感が生じるため、動的快適性に優れたカップ部とすることができる。
【発明を実施するための最良の形態】
【００２５】
以下、本発明の実施形態を図面を参照して説明する。
図６は本発明のカップ材をカップ部の全面に亙って配置したブラジャー１０を示す。
ブラジャー１０は、カップ部１１、土台部１２、背面部１３、肩紐１４を備え、カップ部１１は図７に示す積層構造からなり、前記カップ材Ｄからカップ部１１を形成している。
【００２６】
カップ材Ｄは、前記したように、低反発性の発泡ウレタン２０の両面にベア天竺素材２１、２２を接着剤でラミネートした弾性素材２３をカップ部１１の全面に亙って配置している。即ち、土台部１２との接合ラインであるバージスラインで囲まれたカップ部１１の全体に亙って弾性素材２３を配置している。
さらに、前記弾性素材２３の肌側にポリウレタン弾性糸を含むベア天竺素材２４を配置し、外側に縦横方向に伸びるＴ／Ｗラッセル２５を配置した３層構造体からなる。
前記弾性素材２３は図１に示す弾力性測定装置１で複数回測定した結果、前記したように、図２で示す山部Ｍにおいて前半部分Ｘの応力積分値が９０００〜１００００の範囲で、該前半部分Ｘに対する後半部分Ｙの回復率は９４〜９５％に達するものである。
【００２７】
前記したカップ材Ｄからなるカップ部１１を備えたブラジャー１０では、カップ部を前記したバストの動きに対してすばやく追従し、かつ、バストの動きが停止して原形に復するとカップ部１１も、その弾性回復力により回復率が９４％以上の早さで回復して、バストの形態に追従する。
このように、カップ部１１がバストの動きにぴったりと追従し、動きに対して一体感を有しているため、運動時等においてバストが動く時にカップ部による圧迫感や違和感を生じさせず、動的快適性が優れたブラジャーとなる。
【００２８】
図８および図９は第２実施形態のブラジャー１０’を示し、該カップ部１１’を構成するカップ材として前記カップ材Ｃを用いている。即ち、肌側は、低反発性の発泡ウレタン２０の両面にベア天竺素材２１、２２を接着剤でラミネートした弾性素材２３を備え、外側にストレッチレース２５を配置した弾性素材２６を用いている。
該カップ材Ｃはカップ部１１’の脇側部分を除いて配置しており、カップ部１１’の全面に対して８０％をカップ材Ｃで覆うようにしている。
カップ材Ｃを配置していない脇側部分は、カップ材Ｃよりもパワーを有するカップ材Ｅで形成し、カップ材Ｃとカップ材Ｅとを縫合している。なお、カップ材Ｅの外側にはカップ材Ｃの外側に配置するストレッチレース２５を延在させて配置し、カップ部１１’の外面全面をストレッチレース２５で覆っている。
【００２９】
前記第２実施形態のブラジャーにおいても、カップ材Ｃは図２で示す山Ｍの前半部分Ｘの応力積分値が３０００〜１３０００の範囲で、回復率が８５％以上あるため、バスト保形性を保持しながら、バストの動きにぴったりと追従でき、動的快適が優れたカップ材となる。  
また、バストの脇側部分はパワーのあるカップ材Ｅで覆っているため、バストの肉が脇側に流れるのを抑制し、バストの動きに追従しながら、バストの造形性も備えるものである。
【００３０】
図１０は第３実施形態のカップ材Ｈを示し、カップ形状は第１実施形態と同一としている。該第３実施形態のカップ材Ｈはダブルラッセル構造体（経編物）を弾性素材として用い、該弾性素材は肌側に配置し、外側にストレッチラッセルレースを配置している。
なお、前記ダブルラッセル構造体に代えて、ダブルニット構造体（緯編物）を用いてもよい。
【００３１】
図１１は第４実施形態のカップ材Ｉを示し、カップ形状は第１実施形態と同一としている。該第４実施形態のカップ材Ｉはダブルニット構造体（緯編物）を弾性素材として用い、該弾性素材は肌側に配置し、外側にＴ／Ｗラッセルを配置している。
なお、前記ダブルニット構造体に代えて、ダブルラッセル構造体を用いてもよいし、外側のＴ／Ｗラッセルに代えてベア天竺を用いてもよく、縦横方向に良く伸びる素材であればよい。
【００３２】
前記第３、第４実施形態のように、弾性素材として発泡樹脂を用いずに、編物構造体を用いてもよく、前記カップ材Ｈ、Ｉはいずれも前記図１に示す弾力性測定装置における測定結果で、前半山部分の応力積分値が３０００〜１３０００、回復率８５％以上を得ているものである。
【００３３】
本発明のカップ部を有する衣類は第１、第２実施形態のブラジャーに限定されず、水着やレオタード等のスポーツウエアにおいて、その外布内面でバストに当たる位置で、前記カップ材Ｄ、Ｃ、Ｈ、Ｉ等の弾性素材２３を備えたカップ部を設けておくと、運動時においてバストの揺れによりバストを重く感じるよりも、該バストをふんわりと包みながらバストの動きにぴったりと追従するため、着用していない状態よりもバストを軽く感じることができる。
【産業上の利用可能性】
【００３４】
本発明のカップ材からなるカップ部を有する衣類としては、前記ブラジャーからなるインナーのほか、ブラスリップ、ボデイスーツにも好適に用いることができる。
【図面の簡単な説明】
【００３５】
【図１】繊維製品の弾力性測定装置を示す図面である。
【図２】（Ａ）は図１の測定装置によりカップ材を測定した場合の応力と経過時間との関係を示す線図、（Ｂ）は応力発生時と応力消滅時との関係を示す概略図である。
【図３】複数のカップ材の測定結果を示すグラフである。
【図４】（Ａ）〜（Ｄ）は測定したカップ材の構成を示す図面である。
【図５】測定結果から求めた応力積分値と回復率との関係を示すグラフである。
【図６】本発明の第１実施形態のブラジャーを示す概略斜視図である。
【図７】図６のブラジャーのカップ部の断面図である。
【図８】本発明の第１実施形態のブラジャーを示す概略斜視図である。
【図９】図８のブラジャーのカップ部の断面図である。
【図１０】第３実施形態のカップ材を示す概略断面図である。
【図１１】第４実施形態のカップ材を示す概略断面図である。
【図１２】従来例を示す図面である。
【符号の説明】
【００３６】
Ｃ、Ｄ、Ｈ，Ｉ  カップ材
１  弾性材反発性測定装置
１０  ブラジャー
１１  カップ部
２０  発泡ウレタン
２１、２２  伸縮性材
２３  弾性素材
【図１】
2005290613.tif 000003
【図２】
2005290613.tif 000004
【図３】
2005290613.tif 000005
【図４】
2005290613.tif 000006
【図５】
2005290613.tif 000007
【図６】
2005290613.tif 000008
【図７】
2005290613.tif 000009
【図８】
2005290613.tif 000010
【図９】
2005290613.tif 000011
【図１０】
2005290613.tif 000012
【図１１】
2005290613.tif 000013
【図１２】
2005290613.tif 000014